(57)【要約】【課題】操作に不慣れなオペレータであっても、記憶媒体に保存された画像データの取得に手間が掛からない画像処理装置を構成する。【解決手段】媒体ドライブ２６に記憶媒体Ｍがセットされた場合には、予め設定されたデータが保存されたものを除き、取得補助手段７４が記憶媒体Ｍから画像データを取得する処理の要否を確認する確認画面をモニタ２２に表示し、この確認画面のボタンを操作することにより、その記憶媒体Ｍから画像データを取得する処理を実現する。【選択図】図３
2007179208.tif 000002
【特許請求の範囲】
【請求項１】
記憶媒体の種類に対応する複数の媒体ドライブのいずれかにセットされた記憶媒体から画像データを取得する画像データ取得手段と、取得した画像データの出力処理を行う出力処理手段とを備えている画像処理装置であって、
この画像処理装置の起動時に前記複数の媒体ドライブのいずれかに前記記憶媒体がセットされていることを判別した場合、又は、この画像処理装置の稼動時に前記複数の媒体ドライブのいずれかに前記記憶媒体が新たにセットされたことを判別した場合には、セットされた記憶媒体から画像データを取得する取得ボタンが形成された確認画面をモニタに表示する取得補助手段を備えている画像処理装置。
【請求項２】
前記画像データとの合成処理が可能な合成データを保存した記憶媒体に識別情報を保存しており、前記媒体ドライブにセットされた記憶媒体から前記識別情報を取得した場合には、この記憶媒体を画像データの取得対象から除外するように前記取得補助手段の処理形態を設定している請求項１記載の画像処理装置。
【請求項３】
前記複数の媒体ドライブに優先順位が設定され、複数の前記媒体ドライブに前記記憶媒体がセットされていることを判別した場合には、優先度が高い媒体ドライブにセットされている記憶媒体を画像データの取得対象に設定するように前記取得補助手段の処理形態が設定されている請求項１記載の画像処理装置。
【請求項４】
前記優先順位を設定するために、前記複数の媒体ドライブの一覧が示される登録画面を前記モニタに表示し、オペレータに優先順位の設定を求める優先順位設定手段を備えている請求項３記載の画像処理装置。
【発明の詳細な説明】
【技術分野】
【０００１】
本発明は、記憶媒体の種類に対応する複数の媒体ドライブのいずれかにセットされた記憶媒体から画像データを取得する画像データ取得手段と、取得した画像データの出力処理を行う出力処理手段とを備えている画像処理装置に関する。
【背景技術】
【０００２】
上記のように構成された画像処理装置と類似するものとして特許文献１に記載されるものが存在する。この特許文献１では、メディアドライブ（本発明の媒体ドライブ）において記憶媒体から取得した画像データを露光部において印画紙に露光し、現像処理を行う写真プリント装置（本発明の画像処理装置）が構成されている（段落番号〔００１６〕〜〔００２８〕）。
【０００３】
記憶媒体に保存された画像データのプリント処理を行う場合には、オペレータが記憶媒体の種類を指定することにより、対応するドライブから記憶媒体に保存されている画像情報を抽出し、取得した画像データを縮小画像としてディスプレイ（モニタ）に表示し（段落番号〔００２８〕）、この表示状態でオペレータの操作に基づき各画像データのプリント処理に必要な情報を取得した後に、画像データのプリントを行えるように構成されている。
【０００４】
【特許文献１】特開２００３‐３２０７３３号公報
【発明の開示】
【発明が解決しようとする課題】
【０００５】
デジタルカメラの普及に伴い、デジタルカメラで使用された記憶媒体の画像データからプリント処理を行う頻度が高まっている。ＤＰ店に設置される写真プリント装置を例に挙げると、顧客が持参した記憶媒体を写真プリント装置の媒体ドライブにセットして画像データを取得し、必要な画像処理を行った後にプリント処理を行うことも多く行われている。
【０００６】
しかしながら、記憶媒体に保存されている画像データをプリントする際には、特許文献１にも記載されるように、記憶媒体がセットされた媒体ドライブをオペレータが指定することにより、その媒体ドライブにセットされた記憶媒体から画像データを取得する処理形態となるので、手間が掛かる一面もあった。
【０００７】
つまり、デジタルカメラで用いられる記憶媒体は複数種存在するため、熟練したオペレータの場合、プリント処理を行う毎に記憶媒体の種類に対応して適正に媒体ドライブを指摘することは、困難ではないが、煩わしい面もあった。この操作形態は、操作に不慣れなオペレータにとって、誤操作を招くこともあり、改善の余地があった。
【０００８】
本発明の目的は、操作に不慣れなオペレータであっても、記憶媒体に保存された画像データの取得に手間が掛かることのない画像処理装置を合理的に構成する点にある。
【課題を解決するための手段】
【０００９】
本発明の特徴は、記憶媒体の種類に対応する複数の媒体ドライブのいずれかにセットされた記憶媒体から画像データを取得する画像データ取得手段と、取得した画像データの出力処理を行う出力処理手段とを備えている画像処理装置において、
この画像処理装置の起動時に前記複数の媒体ドライブのいずれかに前記記憶媒体がセットされていることを判別した場合、又は、この画像処理装置の稼動時に前記複数の媒体ドライブのいずれかに前記記憶媒体が新たにセットされたことを判別した場合には、セットされた記憶媒体から画像データを取得する取得ボタンが形成された確認画面をモニタに表示する取得補助手段を備えている点にある。
【００１０】
この構成により、画像処理装置の起動時に複数の媒体ドライブのいずれかに記憶媒体がセットされていることを判別した場合、又は、画像処理装置の稼動時に複数の媒体ドライブのいずれかに記憶媒体が新たにセットされたことを判別した場合には、取得補助手段が、セットされた記憶媒体から画像データを取得する取得ボタンが形成された確認画面をモニタに表示するので、オペレータが媒体ドライブを指定する操作を行わずとも、モニタに表示された取得ボタンを操作するだけで画像データを取得できる。従って、操作に不慣れなオペレータであっても、記憶媒体に保存された画像データの取得に手間が掛かることのない画像処理装置が合理的に構成された。
【００１１】
本発明は、前記画像データとの合成処理が可能な合成データを保存した記憶媒体に識別情報を保存しており、前記媒体ドライブにセットされた記憶媒体から前記識別情報を取得した場合には、この記憶媒体を画像データの取得対象から除外するように前記取得補助手段の処理形態を設定しても良い。
【００１２】
この構成により、テンプレート等の合成データを保存した記憶媒体が媒体ドライブにセットされている場合には、取得補助手段は識別情報に基づき、この記憶媒体を画像データの取得対象から除外することになるので、無駄にデータを取得しないものにできる。
【００１３】
本発明は、前記複数の媒体ドライブに優先順位が設定され、複数の前記媒体ドライブに前記記憶媒体がセットされていることを判別した場合には、優先度が高い媒体ドライブにセットされている記憶媒体を画像データの取得対象に設定するように前記取得補助手段の処理形態を設定しても良い。
【００１４】
この構成により、デジタルカメラで使用される頻度が高い記憶媒体に対応した媒体ドライブの優先順位を高く設定しておくことにより、例えば、フロッピーディスク（商標）等画像データが保存されている可能性の低い媒体ドライブにフロッピーディスク（商標）がセットされていても、デジタルカメラで使用された記憶媒体から画像データを優先的に取得することが可能となる。
【００１５】
本発明は、前記優先順位を設定するために、前記複数の媒体ドライブの一覧が示される登録画面を前記モニタに表示し、オペレータに優先順位の設定を求める優先順位設定手段を備えても良い。
【００１６】
この構成により、オペレータはモニタに表示された登録画面において媒体ドライブの優先順位を任意に設定することが可能となり、例えば、プリント処理の依頼の頻度が高いものに高い優先順位を与える等、使用の実情に整合させることも可能となる。
【発明を実施するための最良の形態】
【００１７】
以下、本発明の実施形態を図面に基づいて説明する。
〔写真プリント装置〕
図１及び図２に示すように、暗箱構造の筐体１０の外部にオペレート部Ａを形成すると共に、筐体１０の内部に印画紙Ｐに画像データの露光を行う露光処理部Ｅｘと、この露光処理部Ｅｘからの印画紙Ｐを反転することで表裏を入れ換えて上方に搬送する縦搬送部ＣＶと、この縦搬送部ＣＶからの印画紙Ｐの現像処理を行う現像処理部Ｄｅと、この現像処理部Ｄｅからの印画紙Ｐの乾燥を行う乾燥処理部Ｄｒとを形成し、この乾燥処理部Ｄｒで乾燥された印画紙Ｐを筐体１０の端部の排出部１１から排出し、搬送ベルト１２で受け止めて水平方向に搬送し、複数のトレイ１３Ａの何れかにオーダ単位で回収するソータ１３を備えることにより画像処理装置としての写真プリント装置が構成されている。
【００１８】
〔オペレート部〕
前記オペレート部Ａは、オペレータが画像データの取得と、プリント処理に必要な操作とを行う操作端末として機能するものであり、このオペレート部Ａには、テーブル部２０に設置された汎用コンピュータで成るプリント制御ユニット２１と、このプリント制御ユニット２１の上面に設置されたモニタ２２と、現像処理後の写真フィルムＦのコマ画像から画像データを取得するフィルムスキャナ２３と、２つのキーボード２４とマウス２５とを備えている。前記プリント制御ユニット２１の前面にはコンパクトフラッシュ（商標）やメモリースティック（商標）等各種の半導体型の記憶媒体Ｍと、ＣＤ−ＲＯＭ、ＤＶＤ、ＭＯ等の磁気式や光学式の記憶媒体Ｍとの間で情報のアクセスを行う複数の媒体ドライブ２６を備えている。
【００１９】
前記フィルムスキャナ２３は、下部に配置した光源２３Ａからの光線をフィルムキャリア２３Ｂに支持された写真フィルムＦに照射し、この写真フィルムＦからの光線をレンズユニット２３Ｃから上部の光電変換ユニット２３Ｄに導き、この光電変換ユニット２３Ｄにおいて写真フィルムＦのコマ画像の光電変換とＡ／Ｄ変換とを行うことによりＲ（赤）・Ｇ（緑）・Ｂ（青）の３原色に色分解したデジタル型の画像データとして取得する。
【００２０】
〔縦搬送部・現像処理部・乾燥処理部〕
図面には具体的な構造を示していないが、前記縦搬送部ＣＶは、前記露光処理部Ｅｘで露光された印画紙Ｐを圧着型のローラ１５で受け取り、圧着型のローラの姿勢の変換によって表裏を入れ換え、ガイドレール１６に沿って上方に搬送し、前記現像処理部Ｄｅに送り出すように機能する。
【００２１】
前記現像処理部Ｄｅは、発色現像槽と漂白定着槽と安定槽とで成る複数の処理槽を樹脂によって一体形成した現像処理槽３０を備えると共に、前記露光処理部Ｅｘから供給された印画紙Ｐを夫々の現像処理槽に搬送するように複数の圧着型のローラを有した搬送機構３１を備えている。前記乾燥処理部Ｄｒは、現像処理部Ｄｅから送り出された印画紙Ｐを搬送する複数の圧着ローラ３２と、この圧着ローラ３２で搬送される印画紙Ｐに対して乾燥空気を供給するブロワ３３とを備えている。
【００２２】
〔露光処理部〕
前記露光処理部Ｅｘは、２つ印画紙マガジン１にロール状に収容された長尺の印画紙Ｐを圧着型の供給搬送ローラ４１で上方に引き上げた後に水平方向に送り出し、カッターユニット４２の排出ローラ４３からチャッカーＣに受け渡す。このチャッカーＣは印画紙Ｐを挟持する挟持状態と、印画紙Ｐを開放する開放状態とに切り換え自在なチャック部材（図示せず）を備えており、このチャック部材で印画紙Ｐを挟持した状態で水平方向へ移動し、印画紙Ｐの先端を露光ユニットＧに受け渡す。
【００２３】
前記露光ユニットＧは、露光搬送機構Ｇｃによって印画紙Ｐを水平方向（副走査方向）に搬送しながら、露光ヘッドＧｈによって主走査方向に沿ったライン露光を行うように露光形態が設定されている。また、前記露光搬送機構Ｇｃは、圧着状態と開放状態とに切り換え自在な第１ローラ４５と、第２ローラ４６と、第３ローラ４７とを、印画紙Ｐの搬送方向に沿って配置している。
【００２４】
前記露光ヘッドＧｈとして、Ｒ（赤）、Ｇ（緑）、Ｂ（青）の３原色に対応した３種の真空ケースの内部に多数のドット状となる蛍光体をライン状に配置し、蛍光体を独立して発光させるように構成したものを用いているが、これに代えて、光源からの光線の照射を画素単位で制御する液晶型等のシャッターから印画紙Ｐの感光面に導くことでライン露光を行うものや、Ｒ（赤）、Ｇ（緑）、Ｂ（青）の３原色のレーザビームを走査する形態でライン露光を行うものであっても良い。
【００２５】
この露光処理部Ｅｘには、この露光処理部Ｅｘで印画紙Ｐの切断と搬送の制御とを行い、前記現像処理部Ｄｅで印画紙Ｐの現像処理液の管理とを行い、前記乾燥処理部Ｄｒで印画紙Ｐの搬送と温度管理とを行うためマイクロプロセッサを有したプリント管理装置３６を備え、このプリント管理装置３６は以下のように印画紙Ｐを搬送して露光を行う。
【００２６】
〔露光処理形態〕
印画紙Ｐに対する露光処理を開始する際には、前記チャッカーＣをカッターユニット４２の近傍の待機位置にセットし、この状態において何れか一方の印画紙マガジン１からの印画紙Ｐを供給搬送ローラ４１で水平方向に送り出し、カッターユニット４２の部位を通過させ、前記待機位置のチャッカーＣに受け渡す。
【００２７】
印画紙Ｐが受け渡されたチャッカーＣは印画紙Ｐの先端近くを挟持し、水平方向へ搬送を開始する。この水平方向への搬送時にはチャッカーＣの移動速度と等速度で前記供給搬送ローラ４１と排出ローラ４３とを駆動する。そして、カッターユニット４２の切断位置を基準にして搬送された印画紙Ｐの長さがプリントサイズに達すると、印画紙Ｐの搬送を一時停止してカッターユニット４２によって印画紙Ｐを切断し、この切断の後にチャッカーＣを水平方向に更に移動させ、印画紙Ｐを露光搬送機構Ｇｃに受け渡す。
【００２８】
この露光搬送機構Ｇｃでは、第１ローラ４５を開放状態に設定して前記チャッカーＣからの印画紙Ｐを受け入れ、この受け入れの直後に圧着状態に切り換えることで印画紙Ｐの搬送を開始する。この搬送を開始した後には、第２ローラ４６を開放状態に設定して印画紙Ｐを受け入れ、この受け入れの直後に圧着状態に切り換えて印画紙Ｐの露光搬送を開始し、これと連係して前記第１ローラ４５を開放状態に設定する。次に、第３ローラ４７を開放状態に設定して印画紙Ｐを受け入れ、この受け入れの直後に第３ローラ４７を圧着状態に切り換え、これと連係して第２ローラ４６を開放状態に切り換えることで印画紙Ｐの露光搬送を継続する。
【００２９】
このような出力処理形態は従来からの写真プリント装置と基本的に変わるものではなく、本発明は、前記複数の媒体ドライブ２６のいずれかにセットされた記憶媒体Ｍから画像データを取得して印画紙Ｐにプリント処理等を行う場合に、画像データの取得の手間を軽減できる点に特徴を有するものであり、そのための制御系を以下に示している。
【００３０】
〔制御構造〕
図３に示すように写真プリント装置の制御系が構成されている。つまり、プリント制御ユニット２１は、マイクロプロセッサＣＰＵと、このマイクロプロセッサＣＰＵのデータバスに接続する入出力インタフェース（Ｉ／Ｏ）７０とを備え、この入出力インタフェース（Ｉ／Ｏ）７０に対して、前記モニタ２２と、フィルムスキャナ２３と、このフィルムスキャナ２３にセットされたフィルムキャリア２３Ｂを判別するフィルムキャリアセンサ２３Ｓと、キーボード２４と、マウス２５と、複数の媒体ドライブ２６と、ハードディスクＨＤとの間で情報がアクセスする信号系を形成し、また、入出力インタフェース７０と前記プリント管理装置３６との間で信号をアクセスする通信系を形成している。
【００３１】
前記マイクロプロセッサＣＰＵのデータバスに対して、ＲＡＭやＲＯＭで成る半導体メモリ７１と、ＧＵＩ制御手段７２と、画像データ取得手段７３と、取得補助手段７４と、優先順位設定手段７５と、オーダ設定手段７６と、出力処理手段７７とを備えている。
【００３２】
前記ＧＵＩ制御手段７２は、前記モニタ２２の画面上においてマウス２５の操作に対応したカーソルの操作やキーボード２４を介して情報を取得する処理を実現する。前記画像データ取得手段７３は、前記フィルムスキャナ２３あるいは媒体ドライブ２６から画像データを取得する処理を実現する。
【００３３】
前記取得補助手段７４は、取得禁止判定部７４Ａと優先順位判定部７４Ｂとを備えて構成され、前記画像データ取得手段７３が記憶媒体Ｍから画像データを取得する際に、取得禁止判定部７４Ａと優先順位判定部７４Ｂとがオペレータの操作を低減する処理を実現する。
【００３４】
前記優先順位設定手段７５は、前記取得補助手段７４が記憶媒体Ｍから画像データを取得する際に、取得対象とする記憶媒体Ｍの優先順位の設定を実現する。前記オーダ設定手段７６は、取得した画像データの出力形態（プリント処理又は保存処理）及び出力に関連する情報を取得する。
【００３５】
前記出力処理手段７７は、プリント処理実行部７７Ａと保存処理実行部７７Ｂとを備えて構成され、プリント処理実行部７７Ａが前記画像データ取得手段７３で取得した画像データを前記プリント管理装置３６に伝送することによりプリント処理を実現し、保存処理実行部７７Ｂが前記媒体ドライブ２６に伝送することによりＣＤ−ＲやＤＶＤ−Ｒ等の記憶媒体Ｍに保存する処理を実現する。
【００３６】
このＧＵＩ制御手段７２と、画像データ取得手段７３と、取得補助手段７４と、優先順位設定手段７５と、オーダ設定手段７６、出力処理手段７７とはソフトウエアで構成されるものであるが、これらをハードウエアで構成することや、ハードウエアとの組み合わせで構成しても良い。
【００３７】
また、前記プリント管理装置３６は、前記露光処理部Ｅｘの供給搬送ローラ４１から乾燥処理部Ｄｒの圧着ローラ３２に亘る搬送系全般を管理する搬送制御部８１と、前記露光ヘッドＧｈを制御して印画紙Ｐに対する画像データの露光を管理する露光制御部８２と、前記現像処理槽３０の現像処理液の温度管理や液面管理を行い、乾燥処理部Ｄｒの温度管理を行う現像・乾燥制御部８３とを制御するものであり、このプリント管理装置３６は２つの前記印画紙マガジン１に備えたＩＤプレート（図示せず）の情報を取得するマガジンセンサＭＳからの信号が入力するように構成されている。
【００３８】
〔出力処理〕
写真プリント装置の起動時に前記複数の媒体ドライブ２６のいずれかに前記記憶媒体Ｍがセットされていることを判別した場合、又は、該写真プリント装置が稼動している状態において前記複数の媒体ドライブ２６のいずれかに前記記憶媒体Ｍが新たにセットされたことを判別した場合に、前記プリント制御ユニット２１は図６のフローチャートに示す処理を行う。
【００３９】
尚、媒体ドライブ２６のいずれかに記憶媒体Ｍがセットしたことを判別する処理としては、例えば、各媒体ドライブ２６に記憶媒体Ｍがセットされたことを検出するセンサを備えているものであれば、各媒体ドライブ２６のセンサの信号を短いサイクルで取得する処理を行い、そのセンサの信号に基づいて存否を判別することや、媒体ドライブ２６に対してディレクトリ等のデータを取得するコマンドを短いサイクルで実行し、各媒体ドライブ２６からのデータの取得の有無から存否を判別することが考えられる。
【００４０】
前記取得補助手段７４は全ての媒体ドライブ２６における記憶媒体Ｍのセットの有無を判別し、セットされていることを判別した場合には、図４に示す確認画面５０をモニタ２２に表示し、画像データの取得の要否の判断をオペレータに求める（＃１０１〜１０３ステップ）。
【００４１】
前記確認画面５０は、メッセージ領域５１に記憶媒体Ｍから出力処理の要否を確認する情報を表示すると共に、記憶媒体Ｍに識別データとして取得禁止データ（識別情報の一例）が保存されたものを取得対象から除外する。また、セットされた記憶媒体Ｍが複数である場合には、優先順位が最も高い記憶媒体Ｍの種類を示す情報を表示し、出力処理を行わない場合に選択するＮＯボタン５２（取得ボタンの一例）と、出力処理を実行する場合に選択するＹＥＳボタン５３とが形成されている。
【００４２】
テンプレート等の合成データを保存した記憶媒体Ｍは、デジタルカメラで撮影に使用された記憶媒体Ｍに保存された画像データとデータの構造が基本的に同じものであるため、例えば、画像データを取得するように画像データ取得手段７３の処理形態を設定した場合には、記憶媒体Ｍからテンプレート等の合成データをプリント対象として認識して取得することも考えられる。このような理由から、その記憶媒体Ｍに識別情報として取得禁止データを保存しておくことにより、その記憶媒体Ｍから画像データが取得される不都合を回避しているのである。
【００４３】
この識別情報は、テキストファイル等の単純な構造のファイルに対して、識別情報であることを示すファイル名を付したものを想定しており、このファイルを記憶媒体Ｍに保存しておき、記憶媒体Ｍが媒体ドライブ２６にセットされたことを判別した後に、記憶媒体Ｍにおいてファイル名から識別情報であるファイルが存在することを判別した場合には、そのファイルにおいて取得禁止データの有無を判別する形態の処理を行い、取得禁止データが存在する場合には、取得対象から除外する。このように取得禁止データが保存された記憶媒体Ｍを取得対象から除外する処理は前記取得禁止判定部７４Ａが実現する。
【００４４】
前記優先順位とは、複数の媒体ドライブ２６に記憶媒体Ｍがセットされた際に、画像データを優先して取得する順位のことであり、図５に示すオプション登録画面６０において記憶媒体毎に順位を設定しておくことにより、順位が最も高い媒体ドライブ２６にセットされた記憶媒体Ｍを画像データの取得対象として設定し、その記憶媒体Ｍの種類が前記メッセージ領域５１に表示される。このように優先順位が高いものを画像データの取得対象として設定する処理は前記優先順位判定部７４Ｂが実現する。
【００４５】
オプション登録画面６０では、プリント制御ユニット２１に備えている全ての媒体ドライブ２６が一覧画面６１に表示され、この一覧画面６１で選択された媒体ドライブ２６に対応する記憶媒体Ｍ（メディア）の種類がメディア表示領域６２に表示され、優先順位を優先順位設定領域６３に入力できるように構成されている。更に、ドライブ情報、出力画質、出力画像サイズ等の情報が情報領域６４に表示され、画面の下部にＹＥＳ／ＯＫボタン６５と、ＮＯキャンセルボタン６６とが形成されている。
【００４６】
このオプション登録画面６０の一覧画面６１で媒体ドライブ２６を選択し、優先順位設定領域６３において優先順位を数値で入力する操作を各媒体ドライブ２６について行った状態でＹＥＳ／ＯＫボタン６５を操作することで、優先順位が設定され保存される。これらの処理は、前記優先順位設定手段７５が実現する。
【００４７】
次に、確認画面５０においてＮＯボタン５２が操作された場合には、画像データの取得は行われず、ＹＥＳボタン５３が操作された場合には、確認画面５０のメッセージ領域５１に表示された記憶媒体Ｍから画像データを取得する処理が実行され、これに続き、オーダ画面（図示せず）がモニタ２２に表示され、このオーダ画面において、オペレータの操作に基づいて出力形態の情報が取得される（＃１０４〜＃１０６ステップ）。
【００４８】
出力形態とは、取得した画像データを印画紙Ｐにプリントするプリント処理（前記プリント処理実行部７７Ａによる処理）と、取得した画像データをＣＤ−ＲやＤＶＤ−Ｒ等の記憶媒体Ｍに画像データを保存する保存処理（前記保存処理実行部７７Ｂによる処理）との２種が類設定されている。選択された処理の設定はオーダ設定手段７６が実現する。
【００４９】
そして、オーダ画面においてプリント処理が選択された場合には、前記オーダ画面においてプリントサイズ、インデックスプリントの有無、テンプレートとの合成処理等が設定され、この設定の後には、必要に応じてプレジャッジ画面が表示され、このプレジャッジ画面においてプリント枚数の設定や補正処理を行うことも可能となる。また、保存処理が選択された場合には、記憶媒体Ｍに保存する際の画素数の設定、保存すべき画像データの設定等を行える。
【００５０】
このように出力形態の情報を取得した後には、設定された出力形態に従って出力処理が実行される（＃１０７、＃１０８ステップ）。この処理によって前述したプリント処理（前記プリント処理実行部７７Ａによる処理）と、保存処理（前記保存処理実行部７７Ｂによる処理）とが実現するものとなり、これらは前記出力処理手段７７が実現する。
【００５１】
このように、本発明では、記憶媒体Ｍの画像データをプリント処理等を行う場合において、その記憶媒体Ｍに対応する媒体ドライブ２６にオペレータがセットするだけで、セットされた記憶媒体Ｍの種類を判別して、確認画面５０をモニタに表示する。この確認画面５０には、取得が禁止された記憶媒体Ｍが除外された状態で、優先順位が高いものが表示されるので、オペレータは確認画面５０の表示に基づいて画像データを取得する処理を選択する操作を行うだけで、画像データを取得することが可能となり、従来のように記憶媒体Ｍがセットされた媒体ドライブ２６を選択する操作を行う必要がなく、操作の手間を省けるものになっている。
【００５２】
更に、確認画面５０において画像データを取得する操作を選択した後には、自動的にオーダ画面が表示され、取得した画像データの出力形態をオペレータが選択できるので、シーケンシャルな操作形態を実現しており、オーダ画面を表示するための手間を省けるものにしている。
【図面の簡単な説明】
【００５３】
【図１】写真プリント装置の斜視図
【図２】写真プリント装置の縦断正面図
【図３】制御系のブロック回路図
【図４】確認画面を示す図
【図５】オプション登録画面を示す図
【図６】出力処理のフローチャート
【符号の説明】
【００５４】
２２          モニタ
２６          媒体ドライブ
５０          確認画面
６０          登録画面（オプション登録画面）
７３          画像データ取得手段
７４          取得補助手段
７７          出力処理手段
Ｍ            記憶媒体
【図１】
2007179208.tif 000003
【図２】
2007179208.tif 000004
【図３】
2007179208.tif 000005
【図４】
2007179208.tif 000006
【図５】
2007179208.tif 000007
【図６】
2007179208.tif 000008